(57)【要約】【課題】経営情報分析、戦略情報の提示を行なう経営ソリューションシステムを提供する。【解決手段】多次元あるいはリレーショナルデータベースとして各種の評価データを格納した経営ソリューションデータベースを構成し、経営ソリューションデータベースに格納された各種データに基づく４軸表現データの生成、例えばＳＰＡＣＥ分析処理を実行して、分析結果に基づく波形データおよびバブルデータからなるＳＰＡＣＥ分析データを生成してクライアント端末に提示するとともに、生成された波形データおよびバブルデータに近似するパターンに基づく状況および戦略情報の提示を行なうことが可能となり、ユーザの勘や経験に頼ることなく適格な戦略を提示することが可能となる。【選択図】　図１
2004133652.tif 000002
【特許請求の範囲】
【請求項１】
経営指標データを含むデータを格納した経営ソリューションデータベースと、前記経営ソリューションデータベースの格納データに基づく評価値に基づいて波形データおよびバブルデータを有する４軸表現データを生成するとともに、前記４軸表現データに含まれる波形データおよびバブルデータのパターンに従って予め登録されたパターンに対応する戦略情報を選択し、前記４軸表現データおよび戦略情報をクライアント端末に対する提示情報として出力する処理を実行する制御部と、
を有することを特徴とする経営ソリューションシステム。
【請求項２】
前記経営ソリューションデータベースは、
前記制御部において生成する４軸表現データに設定される４軸に対応する指標値を算出可能なデータとしてカテゴライズされた戦略台帳データに基づくデータを格納したデータベースであることを特徴とする請求項１に記載の経営ソリューションシステム。
【請求項３】
前記４軸表現データは、業界の競争構造、業界の魅力度、自社の競争力、自社の財務力の４項目についての評価値に基づくＳＰＡＣＥ分析データを含むことを特徴とする請求項１に記載の経営ソリューションシステム。
【請求項４】
前記経営ソリューションデータベースは、経営指標データ、および前記４軸各々の軸定義データ、および前記波形データと前記バブルデータの設定データを個々のテーブルデータとしたリレーショナルデータベース構成を有することを特徴とする請求項１に記載の経営ソリューションシステム。
【請求項５】
前記経営ソリューションデータベースは、分析項目として設定される４軸各々に対応した複数の指標値を格納し、
前記制御部は、前記複数の指標値の平均または加重平均を算出し、該算出結果を対応軸の評価値として設定する処理を実行する構成であることを特徴とする請求項１に記載の経営ソリューションシステム。
【請求項６】
前記制御部は、
前記４軸表現データに含まれる波形データおよびバブルデータのパターンに最も近似する予め登録されたパターンを選択し、該選択した登録パターンに対応して設定された戦略情報を提示情報として選択する処理を実行する構成であることを特徴とする請求項１に記載の経営ソリューションシステム。
【請求項７】
前記制御部は、
業務管理データを格納した基幹データベースから取得したデータを前記経営ソリューションデータベースに展開して格納し、該格納データに基づいてＳＰＡＣＥ分析処理を実行する構成であることを特徴とする請求項１に記載の経営ソリューションシステム。
【請求項８】
クライアント端末に対する戦略情報提示処理をコンピュータ・システム上で実行せしめるコンピュータ・プログラムであって、
経営指標データを含むデータを格納した経営ソリューションデータベースの格納データに基づく評価値に基づいて波形データおよびバブルデータを有する４軸表現データを生成するステップと、
前記４軸表現データに含まれる波形データおよびバブルデータのパターンに従って予め登録されたパターンに対応する戦略情報を選択するステップと、
前記４軸表現データおよび戦略情報をクライアント端末に対する提示情報として出力するステップと、
を有することを特徴とするコンピュータ・プログラム。
【発明の詳細な説明】
【０００１】
【発明の属する技術分野】
本発明は、経営ソリューションシステム、およびコンピュータ・プログラムに関する。さらに詳細には、各種の分析に基づいて、企業の経営戦略を構築するために適用可能な経営ソリューションシステム、およびコンピュータ・プログラムに関する。
【０００２】
【従来の技術】
企業においては、的確な経営戦略を構築することが、企業の命運を左右するものであり、現状分析あるいは将来予測に基づいていかに的確な経営戦略を構築するかが普遍的な重要課題である。
【０００３】
従来から知られた経営戦略計画管理手法としては、例えば、事業ポートフォリオ計画のために用いられるＰＰＭ（Ｐｒｏｄｕｃｔ　Ｐｏｒｔｆｏｌｉｏ　Ｍａｎａｇｅｍｅｎｔ）や、事業における各種の目標値を定量的かつ管理可能な指標値として設定し、実際の達成状況に基づいた管理を可能としたバランススコアカード（ＢＳＣ：Ｂａｌａｎｃｅｄ　Ｓｃｏｒｅ
Ｃａｒｄ）等がある。
【０００４】
【発明が解決しようとする課題】
現状においては、上述のように各種の経営分析および経営戦略構築手法が提案され、また実務上において利用されているが、上述のいずれの分析手法においても、分析用のデータをどのように設定し、また、その分析結果に基づいてどのような戦略を立てるべきかは明確に示されておらず、これらはユーザの勘や経験、あるいは推測に頼らざる得ないというのが現状である。
【０００５】
本発明は、このような従来技術の現状に鑑みてなされたものであり、経営ソリューションデータベースに格納された各種評価データに基づいて、例えばＳＰＡＣＥ分析データ等の４軸表現データ生成処理を実行し、分析結果としての波形データおよびバブルデータからなるデータを生成してクライアント端末に提示するとともに、生成した波形データおよびバブルデータの近似パターンに基づく戦略情報の提示を可能とした経営ソリューションシステム、およびコンピュータ・プログラムを提供することを目的とする。
【０００６】
【課題を解決するための手段】
本発明の第１の側面は、
経営指標データを含むデータを格納した経営ソリューションデータベースと、前記経営ソリューションデータベースの格納データに基づく評価値に基づいて波形データおよびバブルデータを有する４軸表現データを生成するとともに、前記４軸表現データに含まれる波形データおよびバブルデータのパターンに従って予め登録されたパターンに対応する戦略情報を選択し、前記４軸表現データおよび戦略情報をクライアント端末に対する提示情報として出力する処理を実行する制御部と、
を有することを特徴とする経営ソリューションシステムにある。
【０００７】
さらに、本発明の経営ソリューションシステムの一実施態様において、前記経営ソリューションデータベースは、前記制御部において生成する４軸表現データに設定される４軸に対応する指標値を算出可能なデータとしてカテゴライズされた戦略台帳データに基づくデータを格納したデータベースであることを特徴とする。
【０００８】
さらに、本発明の経営ソリューションシステムの一実施態様において、前記４軸表現データは、業界の競争構造、業界の魅力度、自社の競争力、自社の財務力の４項目についての評価値に基づくＳＰＡＣＥ分析データを含むことを特徴とする。
【０００９】
さらに、本発明の経営ソリューションシステムの一実施態様において、前記経営ソリューションデータベースは、経営指標データ、および前記４軸各々の軸定義データ、および前記波形データと前記バブルデータの設定データを個々のテーブルデータとしたリレーショナルデータベース構成を有することを特徴とする。
【００１０】
さらに、本発明の経営ソリューションシステムの一実施態様において、前記経営ソリューションデータベースは、分析項目として設定される４軸各々に対応した複数の指標値を格納し、前記制御部は、前記複数の指標値の平均または加重平均を算出し、該算出結果を対応軸の評価値として設定する処理を実行する構成であることを特徴とする。
【００１１】
さらに、本発明の経営ソリューションシステムの一実施態様において、前記制御部は、前記４軸表現データに含まれる波形データおよびバブルデータのパターンに最も近似する予め登録されたパターンを選択し、該選択した登録パターンに対応して設定された戦略情報を提示情報として選択する処理を実行する構成であることを特徴とする。
【００１２】
さらに、本発明の経営ソリューションシステムの一実施態様において、前記制御部は、業務管理データを格納した基幹データベースから取得したデータを前記経営ソリューションデータベースに展開して格納し、該格納データに基づいてＳＰＡＣＥ分析処理を実行する構成であることを特徴とする。
【００１３】
さらに、本発明の第２の側面は、
クライアント端末に対する戦略情報提示処理をコンピュータ・システム上で実行せしめるコンピュータ・プログラムであって、
経営指標データを含むデータを格納した経営ソリューションデータベースの格納データに基づく評価値に基づいて波形データおよびバブルデータを有する４軸表現データを生成するステップと、
前記４軸表現データに含まれる波形データおよびバブルデータのパターンに従って予め登録されたパターンに対応する戦略情報を選択するステップと、
前記４軸表現データおよび戦略情報をクライアント端末に対する提示情報として出力するステップと、
を有することを特徴とするコンピュータ・プログラムにある。
【００１４】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記録媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００１５】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【００１６】
【発明の実施の形態】
以下、図面を参照して本発明の経営ソリューションシステムの実施形態について、詳細に説明する。
【００１７】
図１は、本発明の実施例に係る経営ソリューションシステムの装置構成例を示す図である。図１において、基幹系データベース１０１は、商品企画、人事、設計・技術、財務会計、設備製作、管理会計、生産情報、コスト管理等、様々なカテゴリ毎のデータベース群として構成される。
【００１８】
例えば財務会計データベースは、売上げ、利益、受注データ等、企業の営業活動に基づく各種の財務データを格納したデータベースであり、人事データベースは、企業に属する報酬支払い対象者としての従業者に関する人事データ、例えば所属、実績、教育履歴、過去の報酬額等の履歴データ等を格納したデータベースであり、業務データベースは、顧客リスト、顧客獲得履歴等の顧客関連データ、さらには、セミナー、講習会の開催データ、参加者データ等の業務関連データ等を格納したデータベースである。
【００１９】
これらの基幹系データベースの格納データ、および、ビジネスの将来性、成長性、市場規模等のビジネス環境情報を含む基幹系データベースの格納データ以外の情報を入力シート１０８を介して入力し、戦略台帳データベース１０９が生成される。戦略台帳データベース１０９は、基幹系データベースの格納データおよび入力シート１０８を介して入力される例えば、市場状況、外部環境等のデータに基づくデータを格納している。戦略台帳データベース１０９は、基幹系データベースからの入力データおよび入力シートを介して入力されるデータを、データウェアハウスサーバ１０２の制御部において生成する４軸表現データに設定される各軸に対応する指標値を算出可能な４軸対応データにカテゴライズして格納している。
【００２０】
戦略台帳データベース１０９に格納されたデータは、データウェアハウスサーバ１０２に入力される。データウェアハウスサーバ１０２は、意思決定支援に適したサーバであり、前述の戦略台帳データベース１０９から必要情報を入力して、経営ソリューションデータベース１０３に展開して格納し、ユーザの要求に応じて、経営ソリューションデータベース１０３に格納したデータに基づいた各種の処理を実行して、処理結果としての例えばＢＳＣに基づく分析データ、あるいはＳＰＡＣＥ分析データ等の４軸表現データを生成するとともに、経営戦略情報データ、あるいはその他の経営情報をクライアント端末に対する出力情報として出力する処理を実行する。
【００２１】
経営戦略を立案しようとするユーザは、本発明の経営ソリューションシステムにおいて、クライアント端末１０５，１０６，１０７からウェブサーバ１０４を介してデータウェアハウスサーバ１０２に、様々な処理要求を行なう。処理要求を入力したデータウェアハウスサーバ１０２は、要求に従って経営ソリューションデータベース１０３を構成する各データベースから必要なデータを取り出して、要求に応じたデータ抽出、生成処理、いわゆるデータマートを実行して、ユーザに対して出力する。
【００２２】
データウェアハウスサーバ１０２は、多次元データベース（ｍｕｌｔｉ　ｄｉｍｅｎｓｉｏｎａｌ　ｄａｔａｂａｓｅ）またはリレーショナルデータベースによって構成される経営ソリューションデータベース１０３を有する。多次元データベースは、リレーショナルデータベースの列情報の単位を次元として集合化した立体構造を有し、次元化した列情報を順次切り替えて高速データ検索を可能とした構成を持つ。データウェアハウスサーバ１０２は、ユーザからの要求に応じて多次元データベースあるいはリレーショナルデータベースによって構成される経営ソリューションデータベース１０３を適用した高速検索処理を実行して、ユーザの要求に応じたデータを抽出し出力する。
【００２３】
図２にデータウェアハウスサーバ１０２の一構成例を示すブロック図を示す。図２に示すように、データウェアハウスサーバ１０２は、前述の戦略台帳データベースとの間でデータ入出力を実行する第１データ入出力部２０１、戦略台帳データベースから入力し、経営ソリューションデータベース１０３に展開したデータに基づいて、クライアント端末からの要求データの生成処理（データマート）を実行するデータ処理部２０２、ウェブサーバとのデータ入出力を実行する第２データ入出力部２０３を有する。
【００２４】
また、高速データ検索を可能とした構成を持つ多次元データベースあるいはリレーショナルデータベースによって構成される経営ソリューションデータベース１０３を有し、データ処理部２０２は、第１データ入出力部２０１を介して入力したデータを経営ソリューションデータベース１０３に蓄積し、経営ソリューションデータベース１０３を用いた処理を実行する。
【００２５】
なお、本実施例では、図１に示すようにデータウェアハウスサーバ１０２とクライアント端末１０５，１０６，１０７間にウェブサーバ１０４を設置し、クライアント端末に対するデータ出力をウェブ（ＷＥＢ）ページとして出力する構成としている。ウェブサーバ１０４は、データウェアハウスサーバ１０２から入力したデータに基づいてウェブ（ＷＥＢ）ページを生成する機能を有する。ウェブ（ＷＥＢ）ページは、ハイパーテキスト構成により構築され、クライアント端末１０５，１０６，１０７としてのＰＣからウェブサーバ１０４に設定されたＵＲＬ（Ｕｎｉｆｏｒｍ　Ｒｅｓｏｕｒｃｅ　Ｌｏｃａｔｏｒ）を指定することにより、ウェブサーバ１０４の生成するウェブ（ＷＥＢ）ページを呼び出すことが可能である。なお、クライアント端末１０５，１０６，１０７は、ＰＣに限らず、ハイパーテキスト構成画面を表示可能な携帯端末、携帯電話等によって代用することも可能である。
【００２６】
クライアント端末１０５，１０６，１０７は、ウェブサーバー１０４の提供するウェブ（ＷＥＢ）ページ表示処理用ソフトウェアであるブラウザを用いて表示、閲覧する。ＰＣ、携帯電話等のクライアント端末１０５，１０６，１０７側では、ディスプレイ上に表示されたウェブページにおけるデータ選択処理、およびウェブサーバーに対するデータ送信が可能となる。
【００２７】
なお、本システムは、例えば特定の企業内の閉じられたローカルネットワークとして構築するか、あるいは、インターネット等の外部ネットワークからのアクセス可能な構成のいずれも可能であるが、外部ネットワークとの接続構成とする場合は、個人の秘密情報の漏洩を防止するため、ファイアウォールの構築、またデータアクセス時のパスワード入力要求、あるいはデータ通信に際して認証処理を実行する構成とすることが好ましい。
【００２８】
図３に、図１に示す各サーバの基本的なハードウェア構成例を示す。図１に示す各サーバは基本的には、演算処理手段、各種記憶手段、通信部を備えた構成である。図３に示すようにサーバは、ＣＰＵ（Ｃｅｎｔｒａｌ　Ｐｒｏｃｅｓｓｉｎｇ　Ｕｎｉｔ）３０１を有し、ＣＰＵ３０１は、バス３１１を介して、入出力インタフェース３１２に接続されており、ＣＰＵ３０１は、通信部３０７、またはキーボードやマウス等の入力部３０６の操作により指令が入力されると、入出力インタフェース３１２を介して指令を入力し、入力指令にしたがって、ＲＯＭ（Ｒｅａｄ　Ｏｎｌｙ　Ｍｅｍｏｒｙ）３０２、ハードディスク３０４等のメモリ手段に格納されているプログラムを実行する。
【００２９】
ＣＰＵ（Ｃｅｎｔｒａｌ　ｐｒｏｃｅｓｓｉｎｇ　Ｕｎｉｔ）３０１は、各種アプリケーションプログラムや、ＯＳ（Ｏｐｅｒａｔｉｎｇ　Ｓｙｓｔｅｍ）を実行するプロセッサである。ＲＯＭ（Ｒｅａｄ−Ｏｎｌｙ−Ｍｅｍｏｒｙ）３０２は、ＣＰＵ３０１が実行するプログラム、あるいは演算パラメータとしての固定データを格納する。ＲＡＭ（Ｒａｎｄｏｍ　Ａｃｃｅｓｓ　Ｍｅｍｏｒｙ）３０３は、ＣＰＵ３０１の処理において実行されるプログラム、およびプログラム処理において適宜変化するパラメータの格納エリア、ワーク領域として使用される。
【００３０】
ＣＰＵ３０１は、ハードディスク３０４にインストールされたプログラム、またはドライブ３０８に装着されたリムーバブル記録媒体３０９から読み出されてハードディスク３０４にインストールされたプログラムを、ＲＡＭ（Ｒａｎｄｏｍ　Ａｃｃｅｓｓ　Ｍｅｍｏｒｙ）３０３にロードして実行することも可能である。
【００３１】
これにより、ＣＰＵ３０１は、様々なプログラムの実行処理を行う。ＣＰＵ３０１は、必要に応じて、入出力インタフェース３１２を介して、画像または音声出力手段によって構成される出力部３０５への出力処理、あるいは、通信部３０７からの送信処理、さらには、ハードディスク３０４に対する記録処理を実行する。
【００３２】
データウェアハウスサーバ１０２に構成される経営ソリューションデータベース１０３の構成例を図４に示す。経営ソリューションデータベース１０３は、上述したように高速データ検索を可能とした構成を持つ多次元データベースあるいはリレーショナルデータベースによって構成される。経営ソリューションデータベース１０３は戦略情報データを格納した戦略情報データベースとして機能し、経営指標データ、およびＳＰＡＣＥ分析用の軸定義データ、および前記波形データと前記バブルデータの設定データを個々のテーブルデータとしたリレーショナルデータベースによって構成される。
【００３３】
多次元データベースは、リレーショナルデータベースの列情報の単位を次元として集合化した立体構造を有し、次元化した列情報を順次切り替えて高速データ検索を可能とした構成を持つデータベースである。本発明のシステムでは、経営ソリューションデータベース１０３をこのような多次元データベース、あるいは多次元データベースを用いることなく、リレーショナルデータベース自体を多次元構造で定義した構成によって実現している。
【００３４】
図４は、リレーショナルデータベースを構成するデータベース例を示している。図４に示すように、経営ソリューションデータベース１０３は、期間軸マスター４０１、組織軸マスター４０２、指標軸マスター４０３、予算実績軸マスター４０４、手法マスター４０５、評価値４０６の各データをそれぞれ格納したデーターベースによって構成される。
【００３５】
データウェアハウスサーバ１０２は、経営ソリューションデータベース１０３を構成するリレーショナルデータベースに対して、基幹系データベース１０１から入力したデータを展開し、展開したデータに基づいてポートフォリオ分析データとして４軸表現データを生成する。４軸表現データは、例えば、事業ポートフォリオ計画のために用いられるＰＰＭ（Ｐｒｏｄｕｃｔ　Ｐｏｒｔｆｏｌｉｏ　Ｍａｎａｇｅｍｅｎｔ）や、事業における各種の目標値を定量的かつ管理可能な指標値として設定し、実際の達成状況に基づいた管理を可能としたバランススコアカード（ＢＳＣ：Ｂａｌａｎｃｅｄ　Ｓｃｏｒｅ　Ｃａｒｄ）、あるいは、図５に示すようなＳＰＡＣＥ（Ｓｔｒａｔｅｇｉｃ　Ｐｏｓｉｔｉｏｎ　ａｎｄ　Ａｃｔｉｏｎ　Ｅｖａｌｕａｔｉｏｎ）分析データである。ＳＰＡＣＥ分析データは、分析項目として、業界の競争構造、業界の魅力度、自社の競争力、自社の財務力の４項目を設定し、これらの４項目についての評価値を求め、求めた評価値に基づいて戦略を構築するための分析データである。
【００３６】
ＳＰＡＣＥ分析データの生成処理について詳細に説明する。図５にＳＰＡＣＥ分析データの一例を示す。図５に示すように、ＳＰＡＣＥ分析データは４軸（Ｘ１，Ｘ２，Ｙ１，Ｙ２）構成を持ち、各軸にそれぞれの評価値が設定される。
【００３７】
図５に示す例においては、Ｘ１軸が業界の魅力度、Ｘ２軸が当社の競争力、Ｙ１軸が当社の財務力、Ｙ２軸が競争構造の各軸として設定された例を示している。これらの各軸において、例えば１〜５点までの評価値を設定し、評価値に基づいて図に示す矩形上の波形データ５０１が設定される。さらに、各評価値に基づく演算により、バブル５０２の位置としてのポジショニングが設定される。
【００３８】
図４に示す指標軸マスター４０３には、各軸の定義データが格納される。さらに、図４に示すように、ある１つの軸の評価値を算出するための具体的指標値が設定可能である。図４には、軸Ｘ１についてのみ指標１〜８の８指標の設定例を示してあるが、その他の軸Ｘ２，Ｙ１，Ｙ２にも同様の複数の具体的指標が設定されている。
【００３９】
例えば当社の財務力（Ｙ１）の具体的指標として、
１．投下資本利益率評価（Ｙ１１）
２．負債／自己資本比率（Ｙ１２）
３．運転資本手持ち月数評価（Ｙ１３）
４．フリーキャッシュフロー評価（Ｙ１４）
５．撤退障壁の低さ（Ｕ１５）
６．業績変動幅（Ｙ１６）
等の各種指標を設定することができる。
【００４０】
当社の財務力（Ｙ１）の評価値は、上記具体的指標の各評価値（Ｙ１１〜Ｙ１６）の平均、あるいは各評価値に予め設定した重み付け（加重係数）を考慮した加重平均等を適用する。例えば、当社の財務力（Ｙ１）の評価値Ｙ１は、下記式、
Ｙ１＝Ｙ１１×０．２＋Ｙ１２×０．１＋Ｙ１３×０．３＋Ｙ１４×０．２＋Ｙ１５×０．２
を適用して算出する等の手法が可能である。例えば上記式によって、図５に示す当社の財務力（Ｙ１）軸上の評価値位置５１１が設定される。
【００４１】
例えば「市場の魅力度」という評価軸を図５に示すＳＰＡＣＥ分析データの一軸として設定した場合の評価指標と加重係数の設定例を図６に示す。図６に示すように、市場の魅力度は、視点として、２つのカテゴリ、すなわち「成長性」と「リスク」に分類され、「成長性」は、さらに「市場の予測成長率」、「市場の大きさ」、「セグメントの拡大（中期の成長性）」の各指標に分類される。「リスク」としては、「需要の安定度」が指標として設定される。
【００４２】
これら４つの指標に対して、さらに、「指標の目的／意義」、「定義／説明」「５段階評価基準」が設定される。評価を実行する評価者は、これらの細分化された項目に従って、各指標に対する評点［１〜５］を設定する。
【００４３】
各指標に対しては、加重係数が予め設定されており、各指標に対する評点に対して加重係数を乗算し、加重平均が求められる。図６の例においては、「市場の魅力度」に対する評点は、
２．０×０．１７＋５．０×０．１３＋１．２×０．２；４．５×０．５＝３．４８として算出される。
【００４４】
上述した説明に従って４軸すべての評価値が設定され、設定された評価値に基づいて、さらに図５に示す矩形上の波形データ５０１が設定される。さらに、各評価値に基づく演算により、バブル５０２の位置としてのポジショニングが設定される。
【００４５】
バブルのポジショニング（位置）を決定するための各評価値に基づく演算としては、例えばＸ１，Ｘ２の平均値、Ｙ１，Ｙ２の平均値を求めて各平均値によりバブルのポジショニング座標位置を設定する方法、あるいは、上述した指標値に基づく各軸の評価値設定と同様、設定された４軸それぞれの軸の評価値に重み付けをして過重平均を算出する等、様々な手法が適用可能である。これらの演算手法の具体的手法は図４に示す手法マスターに格納される。
【００４６】
このようにして各軸の評価値の設定、バブル５０２の位置としてのポジショニングが設定される。これらのデータは、図４に示す評価値データベースに格納され、ユーザは必要に応じて、図５に示す評価値に基づくポートフォリオ分析データをユーザの端末、例えばＰＣ等のディスプレイに表示することが可能となる。
【００４７】
なお、図５に示すＳＰＡＣＥ分析データとしてのポートフォリオ分析データにおいて、バブル５０２の位置は、評価値の現状に基づいて設定される位置である。その現在ポジショニングから、将来のバブルポジショニング、すなわち、図５に示すバブルポジション５０３の位置へバブルを移動させることが目標として設定され、この目標に基づいて、実行すべき戦略が決定されることになる。
【００４８】
図７乃至図９を参照して、データウェアハウスサーバ１０２に構成される経営ソリューションデータベース１０３の具体的データ例を説明する。
【００４９】
図７は、経営ソリューションデータベース１０３のテーブル構成例を示している。テーブルは、軸定義テーブルとしてのマスターテーブルと、図５に示す波形データおよびバブルを定義するファクトテーブルによって構成される。
【００５０】
マスターテーブルは、（ａ）期間、（ｂ）組織、（ｃ）予算実績（予実）、（ｄ）手法、（ｅ）ＳＰＡＣＥ（指標軸）の各テーブルから構成される。各テーブルには、基幹系データベースからとり込まれたデータが格納される。
【００５１】
ファクトテーブルとしては、図５に示す波形データを定義するデータを格納した（ｆ）ＳＰＡＣＥレーダー、および図５に示すバブルの位置、大きさ等を定義するデータを格納した（ｇ）ＳＰＡＣＥバブルの各テーブルがある。
【００５２】
これら、（ａ）〜（ｇ）の各テーブルのデータ項目のいくつかは、リンクデータとして設定される。リンク設定例を図８、図９を参照して説明する。
【００５３】
図８は、バブルの定義テーブルである（ｇ）ＳＰＡＣＥバブル・テーブルの格納データのリンク関係を示している。（ｇ）ＳＰＡＣＥバブル・テーブルの格納データとしての期間データは（ａ）期間マスター、組織データは（ｂ）組織マスター、予算実績（予実）データは（ｃ）予実マスター、手法データは（ｄ）手法マスターの各格納データとのリンクデータとして構成される。
【００５４】
図９は、波形データ（レーダーチャート）の定義テーブルである（ｆ）ＳＰＡＣＥレーダーの格納データのリンク関係を示している。（ｆ）ＳＰＡＣＥレーダー・テーブルの格納データとしての期間データは（ａ）期間マスター、組織データは（ｂ）組織マスター、予算実績（予実）データは（ｃ）予実マスター、手法データは（ｄ）手法マスター、さらに、各軸の評価値（ＫＰＩ）は（ｅ）ＳＰＡＣＥ（指標軸）マスターテーブルの各格納データとのリンクデータとして構成される。
【００５５】
図１に示す基幹系データベース１０１に格納された各種のデータが、データウェアハウスサーバ１０２の経営ソリューションデータベース１０３内の各マスターテーブルに展開された後、データウェアハウスサーバ１０２の制御部（ＣＰＵ等）の処理としてＳＰＡＣＥ分析が実行され、波形データ（レーダーチャート）の生成、バブルデータの生成が実行される。この処理に応じて、経営ソリューションデータベース１０３内のファクトテーブルとしてのＳＰＡＣＥレーダーテーブルおよびＳＰＡＣＥバブルテーブル中に波形データ（レーダーチャート）、およびバブルデータの各構成データが格納される。
【００５６】
ＳＰＡＣＥレーダーテーブルに評価値に基づいて設定される波形データ（レーダーチャート）が格納され、ＳＰＡＣＥバブルテーブルにバブルデータの構成データが格納されると、図５に示す評価値に基づくポートフォリオ分析データ（ＳＰＡＣＥ分析データ）をユーザの端末、例えばＰＣ等のディスプレイに表示することが可能となる。
【００５７】
前述したように、図５に示すＳＰＡＣＥ分析データにおいて、バブル５０２の位置は、評価値の現状に基づいて設定される位置である。その現在ポジショニングから、将来のバブルポジショニング、すなわち、図５に示すバブルポジション５０３の位置へバブルを移動させることが目標として設定され、この目標に基づいて、実行すべき戦略が決定されることになる。すなわち、バブルの位置のポジションシフト＝戦略とされる。
【００５８】
本発明の経営ソリューションシステムは、戦略の提示処理についても実行する。次に、この戦略提示処理について説明する。戦略の提示処理は、図５に示したＳＰＡＣＥ分析において設定される波形データおよびバブルポジションに基づく状況の提示処理として実行される。
【００５９】
本発明の経営ソリューションシステムは、波形データの形状、バブルポジションに従って細分化された状況データ／戦略情報データを提示する。例えば、波形データの形状、バブルポジションに従って１０〜２０程度のパターン分類を行ない、各パターンに適応した状況分析および戦略提示を行なう。図１に示すデータウェアハウスサーバ１０２の記憶部には、予め複数の登録されたパターンデータが格納され、さらに各登録パータンに対応する戦略情報データが格納されている。
【００６０】
図１０は、波形データの形状、バブルポジションに従ったパターン分類、および各パターンに適応した状況分析および戦略の提示例を示す図である。図１０には、４つのパターンが示され、各パターンに応じた状況および戦略が提示されている。例えばユーザ端末としてのＰＣのディスプレイ上には、上述した各軸の各評価値の設定基づく波形データ（レーダーチャート）およびバブルからなるパターンデータとしてのＳＰＡＣＥ分析データが提示され、さらに提示パターンに最も近似する登録パターンに対応付けられた状況／戦略データが提示される。
【００６１】
図１０に示すパターンの各軸は、上述した実施例と同様、４軸（Ｘ１，Ｘ２，Ｙ１，Ｙ２）構成であり、Ｘ１軸が業界の魅力度、Ｘ２軸が当社の競争力、Ｙ１軸が当社の財務力、Ｙ２軸が競争構造の各軸として設定されている。
【００６２】
上述した各軸の各評価値の設定基づく波形データ（レーダーチャート）およびバブルからなるパターンデータとしてのＳＰＡＣＥ分析データが例えばパターン（ａ）に最も近似するパターンであった場合、状況／戦略として「事業に魅力はあるが、自社競争力、財務力なし、未成熟で戦略差別化が明確でない無秩序な競争構造になっている状況（創成期に主に発生）ただし、すでに強力なプレーヤーが存在する場合、何期たってもこの状況に硬直してしまうことがある。この場合、今後の当該事業の投資の方向性を慎重に検討する必要があろう」とのメッセージデータが提示される。
【００６３】
また、ＳＰＡＣＥ分析データがパターン（ｂ）に最も近似するパターンであった場合、状況／戦略として「ターゲットとする市場が明確になり、技術と経験の蓄積と投資により自社の競争力が徐々に上昇したが、投資を回収するほどの財務力は得られていない状況（成長期に主に発生）ただし、景気変動の激しい事情においては、財務力の変動によりこの状況になることがある」とのメッセージデータが提示される。
【００６４】
また、ＳＰＡＣＥ分析データがパターン（ｃ）に最も近似するパターンであった場合、状況／戦略として「業界の魅力度、競争構造とも申し分ないが、自社競争力、財務力がない状況である。ポートフォリオ象限上は、真ん中にあるが、当該事業のオペレーションは非常によくないことが、多いのでその旨、留意する必要あり」とのメッセージデータが提示される。
【００６５】
また、ＳＰＡＣＥ分析データがパターン（ｄ）に最も近似するパターンであった場合、状況／戦略として「業界に魅力がなく、競争構造も厳しい中で、自社の高い競争力、財務力を誇っていることから、当該事業のオペレーションは非常に良いことが多い。しかしながら、競争構造が厳しいため、財務力が悪化するリスクがある」とのメッセージデータが提示される。
【００６６】
図１０には、４つのパターンとそれに対応する状況、戦略情報データを示しているが、この他にも、数十の登録分類パターンが設定される。
【００６７】
データウェアハウスサーバ１０２の制御部（ＣＰＵ等）は、実際の評価値に基づいて生成されるＳＰＡＣＥ分析データと各登録分類パターンの照合処理を実行し、さらに、分析パターンと最も近似する登録パターンを選択する処理を実行し、選択された登録パターンに応じて予めデータウェアハウスサーバ１０２の記憶部に格納された状況／戦略情報を抽出して、クライアント端末に対する提示情報として出力する処理を実行する。出力された状況／戦略情報のクライアント端末に対する提示は、ウェブサーバ１０４を介して行なわれる。
【００６８】
なお、ユーザ端末に提示可能なデータは、図５に示すＳＰＡＣＥ分析データ、さらに、図１０に示す状況、戦略情報のみならず、基幹系データベース１０１から経営ソリューションデータベースの各テーブルに展開されたデータ、例えば予算実績マスターテーブルに格納された業務実績データ等も提示可能である。従って、ユーザは、現状分析に適用された実際の数値を参照してＳＰＡＣＥ分析データを表示し、また戦略情報を並列表示して確認することが可能となる。
【００６９】
図１１を参照して、経営ソリューションデータベースに基づくＳＰＡＣＥ分析処理を実行するデータウェアハウスサーバの処理、およびユーザに提示する情報例についてまとめて説明する。
【００７０】
各種の商品情報、財務情報等を格納した基幹系データベース７０２、および、ビジネスの将来性、成長性、市場規模等のビジネス環境情報を含む基幹系データベースの格納データ以外の情報が入力シート７０１を介して入力され、戦略台帳データベース７０３が生成される。データウェアハウスサーバには、戦略台帳データベース７０３からデータガ入力されて、これらのデータを経営ソリューションデータベース７０４に展開する。
【００７１】
データウェアハウスサーバは、経営ソリューションデータベース７０４に格納されたデータに基づく処理によってクライアント７０７に様々な情報を提示する。提示情報は、大きく分類すると図に示すように経営戦略情報７１０と、その他の経営情報７２０である。
【００７２】
経営戦略情報７１０は、ＳＰＡＣＥ分析データ（図５参照）の各軸に設定された細分化された指標データの評価値としての内訳指標７１１、さらにＳＰＡＣＥ分析に基づいて設定される波形データ７１２、さらにバブルポジショニングデータ７１３を含む。
【００７３】
また、その他の経営情報７２０は、基幹系データベース７０２、また、オペレータによって入力されるデータに基づいて生成される戦略台帳を展開した経営ソリューションデータベース７０４から必要なデータを抽出することによって生成される情報であり、例えば、技術開発費詳細報告データ、収益予実際分析データ、中期売上げ計画シミュレーションデータ、年間生産推移データ、競合メーカー使用比率データ、顧客別売上げ高データ、原価低減率データ等である。これら以外にも、経営ソリューションデータベース７０４に設定するデータ項目に従った様々な情報がクライアント７０７に対して提示可能となる。
【００７４】
このように、本発明の経営ソリューションシステムによれば、各種の評価データを格納した経営ソリューションデータベースに格納されたデータに基づくＳＰＡＣＥ分析等の４軸表現データ生成処理を実行して、分析結果に基づく波形データおよびバブルデータからなるＳＰＡＣＥ分析データ、および戦略情報の提示を行なうことが可能となり、ユーザの勘や経験に頼ることなく適格な戦略をクライアントに対して提示することが可能となる。
【００７５】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【００７６】
なお、上述の実施例で述べた一連の処理は、ハードウェアおよびソフトウェアの複合構成によって実行することが可能である。ソフトウェアによる処理を実行する場合は、処理シーケンスを記録したプログラムを、サーバ内のメモリにインストールして実行させる。一連の処理をソフトウェアによって行う場合には、そのソフトウェアを構成するプログラムが、例えばサーバとしてのコンピュータや１チップのマイクロコンピュータ等にインストールされる。
【００７７】
各種処理の実行プログラムは、システムに内蔵されている記録媒体としてのハードディスクやＲＯＭに予め記録しておくことができる。あるいは、プログラムはフレキシブルディスク、ＣＤ−ＲＯＭ（Ｃｏｍｐａｃｔ　Ｄｉｓｃ　Ｒｅａｄ　Ｏｎｌｙ　Ｍｅｍｏｒｙ），ＭＯ（Ｍａｇｎｅｔｏ　ｏｐｔｉｃａｌ）ディスク，ＤＶＤ（Ｄｉｇｉｔａｌ　Ｖｅｒｓａｔｉｌｅ　Ｄｉｓｃ）、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００７８】
また、プログラムは、１つのコンピュータにより処理されるものであっても良いし、複数のコンピュータによって分散処理されるものであっても良い。さらに、プログラムは、遠方のコンピュータに転送されて実行されるものであっても良い。
【００７９】
【発明の効果】
以上、述べたように、本発明の経営ソリューションシステムによれば、多次元あるいはリレーショナルデータベースとして各種の評価データを格納した経営ソリューションデータベースを構成し、経営ソリューションデータベースに格納された各種データに基づく４軸表現データの生成、例えばＳＰＡＣＥ分析処理を実行して、分析結果に基づく波形データおよびバブルデータからなるＳＰＡＣＥ分析データを生成してクライアント端末に提示することが可能となるとともに、生成された波形データおよびバブルデータに近似するパターンに基づく状況および戦略情報の提示を併せて行なうことが可能となり、ユーザの勘や経験に頼ることなく適格な戦略をユーザに対して提示することが可能となる。
【図面の簡単な説明】
【図１】本発明の経営ソリューションシステムのシステム構成を説明する図である。
【図２】本発明の経営ソリューションシステムにおけるデータウェアハウスサーバの機能構成を説明する図である。
【図３】本発明の経営ソリューションシステムにおける各サーバのハードウェア構成を説明する図である。
【図４】本発明の経営ソリューションシステムにおける経営ソリューションデータベースのデータ構成例を示す図である。
【図５】本発明の経営ソリューションシステムにおけるＳＰＡＣＥ分析データの構成例を示す図である。
【図６】本発明の経営ソリューションシステムにおける指標値の例および加重平均計算例を示す図である。
【図７】本発明の経営ソリューションシステムにおける経営ソリューションデータベースのデータ構成例を示す図である。
【図８】本発明の経営ソリューションシステムにおける経営ソリューションデータベースのリンクデータ構成例を示す図である。
【図９】本発明の経営ソリューションシステムにおける経営ソリューションデータベースのリンクデータ構成例を示す図である。
【図１０】本発明の経営ソリューションシステムにおいて提示可能な状況／戦略情報例を説明する図である。
【図１１】本発明の経営ソリューションシステムにおけるデータウェアサーバの実行する処理全体を総括して説明する図である。
【符号の説明】
１０１　基幹系データベースサーバ
１０２　データウェアハウスサーバ
１０３　経営ソリューションデータベース
１０４　ウェブサーバ
１０５，１０６，１０７　クライアント端末
１０８　入力シート
１０９　戦略台帳データベース
２０１　第１データ入出力部
２０２　データ処理部
２０３　第２データ入出力部
３０１　ＣＰＵ
３０２　ＲＯＭ
３０３　ＲＡＭ
３０４　ハードディスク
３０５　出力部
３０６　入力部
３０７　通信部
３０８　ドライブ
３０９　リムーバブル記憶媒体
３１１　バス
３１２　入出力インタフェース
７０１　入力シート
７０２　基幹系データベース
７０３　戦略情報データベース
７０４　経営ソリューションデータベース
７０７　クライアント
７１０　経営戦略情報
７２０　その他の経営情報
【図１】
2004133652.tif 000003
【図２】
2004133652.tif 000004
【図３】
2004133652.tif 000005
【図４】
2004133652.tif 000006
【図５】
2004133652.tif 000007
【図６】
2004133652.tif 000008
【図７】
2004133652.tif 000009
【図８】
2004133652.tif 000010
【図９】
2004133652.tif 000011
【図１０】
2004133652.tif 000012
【図１１】
2004133652.tif 000013